(57)【要約】【課題】スケジュールを参照して適切な応答メッセージを着信側から発呼側へ送信が可能な携帯端末装置を提供する。【解決手段】無線部１２、変復調部１３により無線電話網との接続が行える携帯端末装置１にあって、ユーザにより作成されると共に、カテゴリ、スケジュール、及び時間に相関を持たせたスケジュールがＲＡＭ１６に格納されている。ＣＰＵ１５は、着信が有ったとき、その着信時刻を含む時間帯を持つスケジュールがＲＡＭ１６上に存在するか否かを判定し、存在するときには回線接続を行い、当該スケジュールに対応する応答メッセージをＲＯＭ１７から読みだして回線へ送信する。【選択図】　　　　図１
2004064218.tif 000002
【特許請求の範囲】
【請求項１】
無線電話網との接続を行う通信手段と、
少なくとも時間を指定して作成された１又は複数のスケジュールが登録された記憶手段と、
前記記憶手段に登録された前記スケジュール毎に対応して設定された応答メッセージを記憶する不揮発性メモリと、
着信時の時刻が前記記憶手段に登録された前記スケジュールの１つの設定時間帯に含まれるとき、前記通信手段を介して回線接続を行い、前記着信時刻に対応する前記スケジュールの内容に最適な応答メッセージを前記不揮発性メモリから選択して送信する制御手段を備えることを特徴とする携帯端末装置。
【請求項２】
前記記憶手段は、前記スケジュールとして、カテゴリ、このカテゴリに対応するタイトル、開始時間、及び終了時間の各データを含むことを特徴とする請求項１記載の携帯端末装置。
【請求項３】
前記制御手段は、前記着信時の時刻を前記設定時間帯に持つスケジュールに含まれるカテゴリの内容に応じて前記応答メッセージを選択することを特徴とする請求項１記載の携帯端末装置。
【請求項４】
前記制御手段は、前記応答メッセージの送出をユーザが設定した条件に従って実行することを特徴とする請求項１記載の携帯端末装置。
【請求項５】
前記制御手段は、前記応答メッセージの送出後、自動的に回線を切断することを特徴とする請求項１又は４記載の携帯端末装置。
【請求項６】
前記制御手段は、前記着信時の時刻が前記記憶手段に登録された前記スケジュールのいずれの設定時間帯にも含まれないとき、通常の着信処理を実行することを特徴とする請求項１記載の携帯端末装置。
【発明の詳細な説明】
【０００１】
【発明の属する技術分野】
本発明は、携帯端末装置に関し、特に、スケジュール機能を備え、着信時に格納されているスケジュールに対応した最適な内容の応答メッセージの送信が可能な携帯端末装置に関する。
【０００２】
【従来の技術】
従来より、１日分、１週間分、１ケ月分等のスケジュールや数百人分の電話番号や住所をキーの操作により入力し、これを半導体メモリに記憶し、記憶したデータを必要に応じて液晶表示器に表示することが可能な携帯端末装置として、電子手帳やＰＤＡ（Ｐｅｒｓｏｎａｌ　Ｄｉｇｉｔａｌ　Ａｓｓｉｓｔａｎｔ）端末機がある。一方、近年においては、小型軽量で所有者に重量感を与えず、いつ何処でも使用できる便利さから、携帯電話機やＰＨＳ（Ｐｅｒｓｏｎａｌ　Ｈａｎｄｙｐｈｏｎｅ　Ｓｙｓｔｅｍ）電話機等の携帯端末装置が急速に普及している。当初、携帯電話機が備える機能は電話機能を主体にしており、電話機能に匹敵するほどの主要な機能は設けられていなかったが、最近の携帯電話機は電子手帳やＰＤＡ端末機が備えていた電話帳、スケジュール帳、住所録、メモ帳、電卓等の機能を兼備する多機能型が主流になっている。
【０００３】
さらに、携帯電話機には、上記機能のほか様々な機能が搭載されている。例えば、着信時に相手の伝言を記憶する伝言メモ機能、電車内にいることを知らせると共に着信を受け付けないマナーモード、車を運転中であること等を知らせるドライブモード、着信時をメロディー音ではなく振動によって所持者にのみ着信を報知するバイブレータ機能等は殆どの携帯電話機に搭載されている。
【０００４】
ところで、携帯電話機は使用者が常に携行できるため、どこに居ても電話に出られるという利点がある反面、会議中等で電話に出たくない時に着信があった場合には、周囲に迷惑を与えることがある。このような場合、着信側が電源を切っておけば呼び出しを受けずに済むが、発呼側では事情がよく分からないため、何時かけなおせばよいのか、何時電源オンになるか等の判断のつかない状況が生じる。例えば、発呼者が着信者の秘書であった場合、ビジネスに支障を生じることも考えられる。このような場合、電話会社と留守番電話サービスの契約を結んでおき、後で連絡する旨の応答も可能であるが、発行者を特定できないため、具体的な応答内容にすることはできず、発呼者が納得できる応答（返答）にならない場合が多い。
【０００５】
このような問題に対処する発明が、特開２０００−３２１２１号公報に提案されており、留守電話機能を動作させる時間帯（オン時間とオフ時間）を設定でき、この時間帯以外では通常の着信が行えるようにし、使用者が留守電話機能の解除を忘れたままになるのを防止している。更に、時間帯を時系列に複数を設定できるようにし、かつ、それぞれの時間帯に異なる内容の応答メッセージを設定し、着信があった時間帯に対応する応答メッセージを送出できるようにしている。このような構成により、時間の経過にともなって応答内容を変更できるので、着信側の状況に応じたメッセージを送出することができる。なお、発呼側が時間を指定してスケジュールを送信できる構成が、特開２０００−３２０９７号公報に示されている。
【０００６】
【発明が解決しようとする課題】
しかし、従来の携帯端末装置によると、特開２０００−３２１２１号公報の構成では、時間帯に応じて設定される応答メッセージは、使用者が意識的に変更しない限り、翌日以降、毎日同じ応答メッセージの内容になる。また、特開２０００−３２０９７号公報の構成では、スケジュールを送信できるのは送信側（発呼側）においてのみであり、着信側にあるときに発呼側へスケジュールを送信することはできない。
【０００７】
したがって、本発明の目的は、スケジュールを参照して適切な応答メッセージを着信側から発呼側へ送信が可能な携帯端末装置を提供することにある。
【０００８】
【課題を解決するための手段】
本発明は、上記の目的を達成するため、無線電話網との接続を行う通信手段と、少なくとも時間を指定して作成された１又は複数のスケジュールが登録された記憶手段と、前記記憶手段に登録された前記スケジュール毎に対応して設定された応答メッセージを記憶する不揮発性メモリと、着信時の時刻が前記記憶手段に登録された前記スケジュールの１つの設定時間帯に含まれるとき、前記通信手段を介して回線接続を行い、前記着信時刻に対応する前記スケジュールの内容に最適な応答メッセージを前記不揮発性メモリから選択して送信する制御手段を備えることを特徴とする携帯端末装置を提供する。
【０００９】
この構成によれば、ユーザ（携帯端末装置の利用者）により予め作成され、記憶手段に登録されているスケジュールに対して、着信時の時間がスケジュールの１つの時間帯に含まれるとき、そのスケジュールに最適な応答メッセージが発呼側へ自動的に送信される。したがって、スケジュールが異なれば異なる内容の応答メッセージが送信されるので、着呼側は自己の状況を通知でき、発呼側にあっては、着呼側の詳細（状況等）を把握することができる。
【００１０】
【発明の実施の形態】
以下、本発明の実施の形態を図面に基づいて説明する。
図１は、本発明の携帯端末装置の構成を示す。ここでは、携帯端末装置１として、携帯電話機を示して説明する。
【００１１】
携帯端末装置１は、アンテナ１１、無線部１２、変復調部１３、周辺制御回路１４、ＣＰＵ部１５、ＲＡＭ１６（記憶手段）、ＲＯＭ１７（不揮発性メモリ）、表示部１８、入力部１９、スピーカ２０、受話器２１、及び送話器２２を備えて構成される。無線部１２及び変復調部１３により通信手段が形成される。また、周辺制御回路１４及びＣＰＵ部１５により制御手段が形成される。
【００１２】
無線部１２は、無線電話網の基地局（図示せず）からの着信の信号を受信し、増幅等の処理を施して変復調部１３に渡すほか、変復調部１３からの信号を電力増幅してアンテナ１１より送信する。変復調部１３は、無線部１２からの信号を復調し、周辺制御回路１４に引き渡すほか、周辺制御回１４からの信号を変調して無線部１２へ送出する。周辺制御回路１４は、変復調部１３が復調したデータから信号を取り出し、これをＣＰＵ部１５へ送出するほか、ＣＰＵ部１５からの応答メッセージを送信可能な信号形式に処理して変復調部１３へ送り出す処理を実行する。また、周辺制御回路１４は時計機能を備え、ＣＰＵ１５の要求に応じて現在時刻等のデータを出力する。
【００１３】
入力部１９は、複数のボタン（又はキー）を備えており、ユーザによるボタン操作の結果を入力情報として周辺制御回路１４へ送出する。表示部１８は液晶表示器等を用いて構成されており、入力部１９からの入力情報や着信時の情報を表示する。スピーカ部２０は、着信時の鳴動や着信があったことユーザに通知するために用いられる。受話部２１は、周辺制御回路１４からの通話相手の声（　音声）　を音響出力し、ユーザの耳に伝える。送話部２２（マイク）は、ユーザの声（　音声）　を音響−電気変換し、その音声信号を周辺制御回路１４へ出力する。ＲＡＭ１６はプログラムが動作するためのスケジュールや電話帳などのデータ等を格納している。また、ＲＯＭ１７は、プログラム、着信音データ、応答メッセージ等の固定データを格納している。
【００１４】
また、ＣＰＵ部１５は、以下の処理を実行する。
（１）周辺制御回路１４からの信号を解析し、発信元の電話番号の情報を取得する。
（２）ＲＡＭ１６に蓄積されているスケジュールのデータから、ユーザが電話に出られる状態か否かを判断する。
（３）ユーザにスケジュールがあり、電話に出られない（例えば、会議中など）と判断したときは着信に自動応答し、ＲＯＭ１７に格納されている応答メッセージから当該スケジュールの内容に適した応答メッセージを取り出し、この応答メッセージを発信者へ送信するために周辺制御回路１４に渡す。
（４）前記応答メッセージの送信が完了すると、回線を切断し、待受け状態に戻す。
【００１５】
ＣＰＵ１５がこの様な制御を実行できることにより、スケジュールに時刻と応答メッセージを関連付けしておき、着信時に、その時点の時刻がスケジュールの時間帯に含まれるとき、対応する応答メッセージをＲＯＭ１７から読み出して発呼者へ通知することができる。この応答メッセージを受信した発呼者は、着呼者がおかれた状況（スケジュール、勤務状況等）を把握することができる。
【００１６】
図２はスケジュール入力処理を示す。また、図３はスケジュール内容の一例を示す。図２及び図３に基づいてスケジュールの作成処理の詳細について説明する。なお、以下のフローチャートにおける“Ｓ”は、ステップを表している。
【００１７】
図３に示すように、スケジュール３００は、日付３０１、開始時間３０２ａ、終了時間３０２ｂ、カテゴリ３０３、タイトル３０４、及び応答メッセージ３０５を備えて構成されている。カテゴリ３０３は、「会議」、「営業」、「作業」、「移動」、「プライベート」等であり、タイトル３０４は「グループ会議」、「ミーティング」、「××へ移動」、「打ち合わせ」、「○○会社へ営業」、「宴会」、「英会話学校」等である。カテゴリ３０３の内容に応じて適切な内容の応答メッセージ３０５が設定されるカテゴリ３０３の内容が同じであれば、応答メッセージ３０５の内容も同じになる。例えば、カテゴリ３０５が「会議」であれば、応答メッセージ３０５は、同じ「只今、会議中のため、電話に出られません」になる。この応答メッセージ３０５とカテゴリ３０３との対応は、予め携帯端末装置１の製造メーカー側で用意されるほか、ユーザが独自に作成することもできる。ただし、自作したカテゴリに対しては、ユーザにより応答する応答メッセージを指定又は新たに作成する必要がある。
【００１８】
まず、携帯端末装置１をスケジュール作成モードにセットし、日付３０１を指定すると（Ｓ１０１）、カテゴリの入力を促す応答メッセージが表示部１８に表示される（Ｓ１０２）。入力部１９のキーを操作して、図３に示すような内容のカテゴリ３０３を１日毎に一括して入力する（Ｓ１０３）。入力されたカテゴリのデータは、ＣＰＵ１５の制御のもとにＲＡＭ１６に蓄積される（Ｓ１０４）。カテゴリ３０３の入力が完了すると、このカテゴリ３０３に対応する「タイトルの入力」を促す応答メッセージがＣＰＵ１５によって表示部１８に表示される（Ｓ１０５）。そこでユーザは、入力済みのカテゴリ３０３に対応したタイトル３０４を入力する（Ｓ１０６）。このタイトル３０４の語句は、指定されておらず、ユーザが任意に作成することができる。入力したタイトル３０３のデータはＲＡＭ１６に一時的に蓄積される（Ｓ１０７）。
【００１９】
タイトル３０３の入力が完了すると、このタイトル３０３に対応する「スケジュールの開始時間」の入力を促す応答メッセージが、ＣＰＵ１５によって表示部１８に表示される（Ｓ１０８）。この応答メッセージを見たユーザは、入力部１９を操作して開始時間３０２ａを入力する（Ｓ１０９）。入力された開始時間３０２ａのデータは、ＣＰＵ部１５によってＲＡＭ１６に一時的に蓄積される（Ｓ１１０）。ついで、ＣＰＵ部１５は、表示部１８に「スケジュールの終了時間」の入力を促す応答メッセージを表示部１８に表示する（Ｓ１１１）。スケジュールの終了時間３０２ｂの入力が完了すると（Ｓ１１２）、ＣＰＵ部は入力された終了時間３０２ｂのデータをＲＡＭ１６に一時的に蓄積する（Ｓ１１３）。
【００２０】
以上のようにして、１日分のスケジュール（各時間単位のカテゴリとタイトル）の内容が表示部１８に表示される（Ｓ１１４）。さらに、この表示内容が正しいか否かをユーザに確認を求める応答メッセージが表示部１８に表示される（Ｓ１１５）。ユーザが入力部１９を操作することにより入力内容を確認すると（Ｓ１１６）、１件分のスケジュール内容（カテゴリ３０３＋タイトル３０４＋開始時間３０２ａ＋終了時間３０２ｂ）がＲＡＭ１６に蓄積される（Ｓ１１７）。さらに、上記入力に際してＲＡＭ１６に一次的に蓄積されていたデータを削除し、入力処理を終了する。なお、入力されたスケジュール内容に誤り（ミス）があったとき、その旨の入力操作を行うと、処理はＳ１０２にリターンし、改めてカテゴリからの入力操作が行われることになる。
【００２１】
Ｓ１１８の処理の後、翌日（又は他の日）のスケジュール入力を行うか否かの確認を表示部１８に応答メッセージを表示して求める（Ｓ１１９）。他に入力するスケジュールが無い場合には全ての処理を終了し、他に入力するスケジュールが有る場合には、スケジュールを設定したい日付を入力し（Ｓ１２０）、処理をＳ１０２にリターンし、以降の処理を繰り返し実行される。
【００２２】
図４は携帯端末装置における着信時の処理を示す。この着信処理は、図２の処理が終了していることが前提となる。
携帯端末装置１に着信が発生した時（Ｓ２０１）、ＣＰＵ部１５は、周辺制御回路１４から現在の時刻を取得する（Ｓ２０２）。ＣＰＵ１５は、取り出した時刻に応答するスケジュールが存在するか否かが判定される（Ｓ２０３）。すなわち、着信したときの時刻（着信時刻）が、図３の開始時刻３０２ａ〜終了時刻３０２ｂの中に含むものが有るか否かを、ＣＰＵ１５はＲＡＭ１６に応答するスケジュールの蓄積の有無から判定する。ＣＰＵ１５は、着信時刻に応答するスケジュールが存在しないときには、ユーザに対して着信音やバイブレータによる着信の報知を行い、通常の着信処理を実行する（Ｓ２０８）。
【００２３】
一方、着信時刻が含まれるスケジュール設定がＲＡＭ１６内に存在したとき、ＣＰＵ部１５は着信に対して応答する（Ｓ２０４）。ここで、着信時刻が「「１日」の１１時１２分であったとする。図３を参照すると、１１時１２分に含まれるスケジュールが、１０：００〜１２：００にカテゴリ「会議」でタイトル「グループ会議」のスケジュールに存在する。そこで、ＣＰＵ部１５は、着信時刻に跨るスケジュールのカテゴリ「会議」に対応する応答メッセージ「只今、会議中のため、電話に出ることができません」をＲＯＭ１７から読み出し（Ｓ２０５）、周辺制御回路１４へ出力する。
【００２４】
周辺制御回路１４はＣＰＵ部１５から応答メッセージの送信を指示されると、応答メッセージを基地局へ送信できる形式の信号に処理し、この信号を変復調部１３へ出力する。変復調部１３は、周辺制御回路１４からの信号を変調し、無線部１２へ出力する。無線部１２はＣＰＵ１５から回線接続の指示があると、変復調部１３からの信号に周波数変換や電力増幅を施した後、アンテナ１１から電波として送信することで、基地局との接続を行い、回線接続後に、応答メッセージを送信する（Ｓ２０６）。応答メッセージの送信が終了すると、ＣＰＵ部１５は周辺制御回路１４に対して回線の切断を指示し、この指示を受けた周辺制御回路１４は回線切断用の信号を生成し、これを変復調部１３へ送出する。変復調部１３は回線切断用の信号を変調して無線部１２に送り、無線部１２では変調された回線切断用の信号を基地局へ送信することで、回線が切断され（Ｓ２０７）、着信応答処理が終了する。
【００２５】
このように、着信者が会議等で電話に出られない場合でも、予め設定したカテゴリが着信時間に含まれるとき、自動的に着信応答がなされ、回線接続後に設定したカテゴリに応じた適切な応答メッセージが自動的に送信されるので、発呼者は着信者が会議中等であることを応答メッセージの内容から把握できるため、通話が出来なくとも着信者の置かれた状況を理解することが可能になる。
【００２６】
上記実施の形態においては、図３に示すように、設定したメッセージの時間帯に着信があれば、どの発呼者に対しても当該メッセージが送信される。したがって、着信者がメッセージを送りたくない発呼者に対してもメッセージが送られてしまうことになる。そこで、図５に示すように、応答の可否（応答可否４０１）をユーザ（着信者）が予め設定（Ｙｅｓ→“Ｙ”，Ｎｏ→“Ｎ”）できるようにしておけば、メッセージを送りたくないときには送信を拒否することができる。Ｙｅｓ，Ｎｏ等の指定のほか、時間（応答可時間４０２）で指定することもできる。
【００２７】
或いは、指定した相手からの着信に対してのみメッセージを送るようにすることもできる。それには、図６のように、応答指定５０１の欄を設け、応答したい相手の電話番号を予め指定できるようにすればよい。この場合、複数の電話番号を指定できるようにしておけば、複数の相手に対応することができる。また、電話番号は、１０桁全ての指定でも良いし、〔市外局番＋市内局番〕等の６桁にしてもよい。例えば、工場や本社の所在地の電話局の番号を〔市外局番＋市内局番〕として指定しておくことにより、その地域からの全てを対象にできるので、会社の同僚等のほか、電話番号の異なる社内の他の部門等からの電話にも応答することが可能になる。
【００２８】
【発明の効果】
以上より明らかなように、本発明の携帯端末装置によれば、カテゴリと時間を設定して予め作成され、記憶手段に登録されているスケジュールに対し、着信時の時間がスケジュールの時間帯に含まれるとき、制御手段により当該スケジュールに最適な応答メッセージを通信手段を介して発呼者側へ自動的に送信されるようにしたので、スケジュール内容が異なれば異なる内容の応答メッセージを送信でき、着呼者においては自己の状況を通知できると共に、発呼者においては着呼者の詳細（状況等）を把握することができる。
【図面の簡単な説明】
【図１】本発明の携帯端末装置の構成を示すブロック図である。
【図２】スケジュール入力処理を示すフローチャートである。
【図３】本発明の携帯端末装置によるスケジュール内容の一例を示す構成図である。
【図４】携帯端末装置における着信時の処理を示すフローチャートである。
【図５】本発明の携帯端末装置のスケジュール内容の第２例を示す構成図である。
【図６】本発明の携帯端末装置のスケジュール内容の第３例を示す構成図である。
【符号の説明】
１　携帯端末装置
１１　アンテナ
１２　無線部
１３　変復調部
１４　周辺制御回路
１５　ＣＰＵ部
１６　ＲＡＭ
１７　ＲＯＭ
１８　表示部
１９　入力部
２０　スピーカ
２１　受話器
２２　送話器
３００　スケジュール
３０１　日付
３０２ａ　開始時間
３０２ｂ　終了時間
３０３　カテゴリ
３０４　タイトル
３０５　応答メッセージ
４０１　応答可否
５０１　応答指定
【図１】
2004064218.tif 000003
【図２】
2004064218.tif 000004
【図３】
2004064218.tif 000005
【図４】
2004064218.tif 000006
【図５】
2004064218.tif 000007
【図６】
2004064218.tif 000008